(57)【要約】【課題】塗装作業を高所で行う際の作業性を良好にする。【解決手段】塗布器１は、塗料が収容される容器本体２と、容器本体２に取り付けられ、作業者の肩または首に掛けるストラップ３と、容器本体２に着脱可能に取り付けられ、開口部２ｃを開閉する蓋４と、蓋４の裏側に取り付けられ、容器本体２に収容された塗料を塗布するための塗布用具５とを備えている。【選択図】図２
2020199457.tif 000002
【特許請求の範囲】
【請求項１】
塗料を被塗装面に塗布する塗布器において、
内部に連通する開口部を有するとともに、塗料が収容される容器本体と、
前記容器本体に取り付けられ、作業者の肩または首に掛けるストラップと、
前記容器本体に着脱可能に取り付けられ、前記開口部を開閉する蓋と、
前記蓋の裏側に取り付けられ、前記容器本体に収容された塗料を塗布するための塗布用具とを備えていることを特徴とする塗布器。
【請求項２】
請求項１に記載の塗布器において、
前記容器本体の前記開口部が形成された部分は円筒状に形成されるとともに、当該部分の内周面には周方向に延びる螺旋条が形成され、
前記蓋の外周面には、前記螺旋条に螺合する螺合部が形成されていることを特徴とする塗布器。
【請求項３】
請求項１または２に記載の塗布器において、
前記塗布用具は、前記蓋の裏側から突出する棒状部と、該棒状部の先端部に設けられ、塗料を含浸する含浸体とを有していることを特徴とする塗布器。
【請求項４】
請求項１から３のいずれか１つに記載の塗布器において、
前記蓋は、前記容器本体に取り付けられた状態で該容器本体から突出する突出部を有し、該突出部が把持部とされていることを特徴とする塗布器。
【請求項５】
請求項１から４のいずれか１つに記載の塗布器において、
前記ストラップの一端部及び他端部は、前記容器本体の上下方向中央部よりも上側の外周面に対して互いに周方向に離間して固定されていることを特徴とする塗布器。
【発明の詳細な説明】
【技術分野】
【０００１】
本発明は、例えば塗料を塗布する際に使用する塗布器に関する。
【背景技術】
【０００２】
従来より、塗装作業を行う際には、作業者が塗料の入った容器を準備し、その容器にローラー式塗装具のローラー部分を入れてローラー部分に塗料を含浸させて被塗装面に塗料を付着させるようにしている。
【０００３】
この塗装作業の際に使用される容器としては、例えば特許文献１〜３に開示されているものが知られている。特許文献１の容器では、上方が開放した塗料容器本体に取っ手が取り付けられているとともに、刷毛を収納する刷毛収納容器も取り付けられている。刷毛収納容器は、上方が開放した箱状に形成されるとともに、塗料容器本体の縁に引っ掛けられる係止片を備えている。また、特許文献２の容器は、塗料容器の内側に嵌合するバケツ状の内容器であり、この内容器は上方が開放しており、ローラー式塗装具や刷毛を入れることができるようになっている。また、特許文献３の容器では、上方が開放した塗料容器本体に取っ手が取り付けられており、この塗料容器本体の側壁部に、刷毛を収容する刷毛用容器部が一体成形されている。
【先行技術文献】
【特許文献】
【０００４】
【特許文献１】実用新案登録第３０３２５００号公報
【特許文献２】特開２０１６−１２８３３４号公報
【特許文献３】特開２０１８−４３９２８号公報
【発明の概要】
【発明が解決しようとする課題】
【０００５】
ところで、壁の高い所や天井等を塗装する場合には、作業者が脚立を利用して高所に上がり、そこでローラー式塗装具を用いて塗装作業を行うことがある。作業者が脚立を上る際には、落下事故を未然に防止するべく、両手で脚立を掴んで体を安定させておく必要がある。
【０００６】
しかしながら、特許文献１の容器の場合、塗料容器本体の取っ手を持って運ばなければならないので、作業者が脚立を上るのと同時に塗料の入った容器を持って上るのは困難である。特に、塗料容器本体の上方が開放されているので、塗料容器本体内の塗料の流出を回避すべく、塗料容器本体が揺れないように気を付けなければならず、この点からも、脚立を上るのと、容器を持って上るのとを同時に行うことは困難を伴う。このため、従来は、塗料の入った容器を先に高い所に置いてから作業者が脚立を上るか、あるいは先に作業者が脚立を上った後、別の作業者によって塗料の入った容器を上げてもらうしか方法がなく、作業性が良好とはいえなかった。
【０００７】
また、作業者は塗料の入った容器だけでなく、塗装具も持って上る必要がある。特許文献１では、刷毛を収納する刷毛収納容器が塗料容器本体に取り付けられているので、この刷毛収納容器に刷毛を収納すればよいのであるが、刷毛の把持部分は刷毛収納容器から飛び出した状態になっており、この把持部分が他の物に接触した場合には刷毛が落ちてしまうおそれがある。このため、容器を上げる際に刷毛の把持部分に他の物が接触しないように注意しなければならず、この点においても作業性が良好とはいえなかった。ローラー式塗装具を収納した場合も同様な問題が生じ得る。
【０００８】
また、特許文献２の内容器を使用する場合は外容器に嵌合させて使用することになるが、特許文献１の容器と同様に、作業者が脚立を上るのと同時に容器を持って上るのは困難であるとともに、持って上るときに内容器が揺れないように気を付けなければならない点は同じでる。
【０００９】
さらに、特許文献３の容器も上方が開放されていて取っ手を備えたものなので、特許文献１の容器と同様に作業性が良好とはいえなかった。
【００１０】
本発明は、かかる点に鑑みてなされたものであり、その目的とするところは、塗装作業を高所で行う際の作業性を良好にすることにある。
【課題を解決するための手段】
【００１１】
上記目的を達成するために、本発明では、作業者の肩または首に掛けるストラップを容器本体に設け、容器本体を開閉する蓋の裏側に塗布用具を取り付けるようにした。
【００１２】
第１の発明は、塗料を被塗装面に塗布する塗布器において、内部に連通する開口部を有するとともに、塗料が収容される容器本体と、前記容器本体に取り付けられ、作業者の肩または首に掛けるストラップと、前記容器本体に着脱可能に取り付けられ、前記開口部を開閉する蓋と、前記蓋の裏側に取り付けられ、前記容器本体に収容された塗料を塗布するための塗布用具とを備えていることを特徴とする。
【００１３】
この構成によれば、ストラップを作業者の肩や首に掛けることで、作業者が容器本体を手で持つ必要がなくなるので、両手を使って脚立や梯子を上ることが可能になり、安全性が高まる。脚立や梯子を上るとき、塗料が収容された容器本体も同時に持って上ることが可能になり、このときに蓋によって容器本体の開口部を閉じておくことで、容器本体が大きく揺れたとしても内部に収容された塗料が流出することはない。また、ローラー式塗装具からなる塗布用具は蓋の裏側に取り付けられているので、塗布用具が落下することはないとともに、塗布用具に含浸されている塗料が他の物に付着することもない。
【００１４】
そして、塗装作業時には、蓋を容器本体から取り外して開口部を開けると、蓋の裏側に塗布用具が取り付けられているので、作業者は蓋を持って塗布用具を動かすことにより、塗布用具に含浸されている塗料を被塗装面に付着させることが可能になる。尚、蓋を閉じた際には塗布用具を容器本体に収容することができる。
【００１５】
第２の発明は、前記容器本体の前記開口部が形成された部分は円筒状に形成されるとともに、当該部分の内周面には周方向に延びる螺旋条が形成され、前記蓋の外周面には、前記螺旋条に螺合する螺合部が形成されていることを特徴とする。
【００１６】
この構成によれば、蓋の螺合部を容器本体の螺旋条に螺合させることで、容器本体の開口部が閉じられ、塗料の流出が抑制される。容器本体の開口部を開ける際には蓋を回転させることで螺合状態が解かれて蓋を容器本体から容易に取り外すことができる。
【００１７】
第３の発明は、前記塗布用具は、前記蓋の裏側から突出する棒状部と、該棒状部の先端部に設けられ、塗料を含浸する含浸体とを有していることを特徴とする。
【００１８】
この構成によれば、含浸体を容器本体内に挿入すると、含浸体が蓋の裏側から突出する棒状部の先端部に設けられているので、蓋を完全に閉じる前に容器本体内の塗料に接触させることができる。これにより、塗料を含浸体に容易に含浸させることができる。
【００１９】
第４の発明は、前記蓋は、前記容器本体に取り付けられた状態で該容器本体から突出する突出部を有し、該突出部が把持部とされていることを特徴とする。
【００２０】
この構成によれば、蓋を容器本体に取り付けた状態で容器本体から突出する把持部を作業者が把持できるので、蓋を容易にかつ確実に把持することができ、塗装時の作業性をより一層良好にすることができる。
【００２１】
第５の発明は、前記ストラップの一端部及び他端部は、前記容器本体の上下方向中央部よりも上側の外周面に対して互いに周方向に離間して固定されていることを特徴とする。
【００２２】
この構成によれば、ストラップの一端部及び他端部が容器本体の上側において互いに周方向に離間しているので、ストラップを肩や首に掛けた際に容器本体が傾き難くなり、安定する。
【発明の効果】
【００２３】
本発明によれば、ストラップを作業者の肩や首に掛けることで、作業者が脚立や梯子を上る際に塗料が収容された容器本体を同時にかつ安全に持って上ることができ、このときに蓋を閉じておくことで塗料の流出及び塗布用具の落下を未然に防止することができる。従って、塗装作業を高所で行う際の作業性を良好にすることができる。
【図面の簡単な説明】
【００２４】
【図１】本発明の実施形態に係る塗布器の斜視図である。
【図２】蓋を取り外した状態を示す図１相当図である。
【図３】ローラーを取り外した状態を示す部分断面図である。
【図４】塗布器の使用要領を説明する図である。
【発明を実施するための形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
図１は、本発明の実施形態に係る塗布器１を示すものである。塗布器１は、塗料を被塗装面に塗布する際に使用される器具である。塗料の種類は特に限定されるものではなく、ローラーで塗布可能な塗料として、例えば、水性ペンキ、油性ペンキ、さび止め塗料、ニス、ラッカー等を挙げることができる。被塗装面も特に限定されるものではなく、例えば建築物の壁、天井、柱、扉、屋根、梁等の表面を挙げることができるが、これら以外の部分を被塗装面とすることもできる。建築物としては、例えば、住宅、事務所、工場等を挙げることができる。
【００２７】
図２に示すように、塗布器１は、塗料が収容される容器本体２と、作業者１００（図４にのみ示す）の肩または首に掛けるためのストラップ３と、蓋４と、塗布用具としてのローラー式塗装具５とを備えている。容器本体２は、塗料の成分によって劣化等しない材料で構成されており、例えば鉄やステンレス等の金属製であってもよいし、樹脂製であってもよく、これらを組み合わせたものであってもよい。容器本体２は、略円形の底壁部２ａと、底壁部２ａの周縁部から上方へ延びる円筒状の周壁部２ｂとを備えている。周壁部２ｂは角筒状に形成されていてもよく、この場合、周壁部２ｂの形状に対応するように、底壁部２ａを多角形に形成することができる。容器本体２の容量は、例えば５００ｍｌ〜２０００ｍｌ程度に設定することができる。
【００２８】
周壁部２ｂの上部は、下部に比べて小径に形成された小径壁部２１が設けられている。この小径壁部２１の上端部には、容器本体２の内部に連通する開口部２ｃが全体に亘って開口している。従って、容器本体２における開口部２ｃが形成された部分は小径壁部２１であり、この小径壁部２１は円筒状に形成されている。小径壁部２１が円筒状であることから、開口部２ｃは略円形状になる。小径壁部２１の内周面２１ａには、該小径壁部２１の径方向内方へ突出して周方向に延びる螺旋条２１ｂが形成されている。螺旋条２１ｂは、ねじ山となるものである。
【００２９】
開口部２ｃの径は、後述するローラー式塗装具５のローラー５１を有する部分の最大寸法よりも大きく設定されており、開口部２ｃを介してローラー５１を容器本体２内に容易に出し入れすることができるようになっている。つまり、ローラー式塗装具５は容器本体２に開口部２ｃから収容することができるように構成されている。
【００３０】
図１にも示すように、ストラップ３は、長尺状の部材からなるストラップ本体３０と、２つの調整金具３１、３１とで構成されている。ストラップ本体３０の長手方向一端部及び他端部は、取付金具２２、２２によって容器本体２の周壁部２ｂの所定位置に取り付けられるようになっている。ストラップ本体３０の長手方向一端部及び他端部の容器本体２への取付位置は、取付金具２２、２２の位置によって設定することができる。この実施形態では、取付金具２２、２２が容器本体２の上下方向中央部よりも上側の外周面において、互いに周方向に離間した状態で周壁部２ｂに固定されている。これにより、ストラップ本体３０の長手方向一端部及び他端部は、塗料が規定量収容されかつ蓋４が取り付けられた状態にある容器本体２の重心位置よりも高いところに位置することになる。規定量とは、塗装作業を行う際に容器本体２に収容する量であり、容器本体２の最大容量とすることができる。また、ストラップ本体３０の長手方向一端部及び他端部は、容器本体２の周壁部２ｂの周方向について１８０°離れたところに固定することができる。調整金具３１、３１は省略してもよい。
【００３１】
２つの取付金具２２、２２は同じものとすることができる。取付金具２２は、容器本体２の周壁部２ｂに固定される固定部２２ａと、固定部２２ａの上部に設けられたループ部２２ｂとで構成されている。取付金具２２、２２を省略し、ストラップ３の両端部を容器本体２に直接固定するようにしてもよい。また、ストラップ３は容器本体２に対して着脱可能に取り付けるようにしてもよい。
【００３２】
ストラップ本体３０の長さは、例えば５０ｃｍ以上、好ましくは１００ｃｍ以上に設定することができる。ストラップ本体３０の長さの上限は、例えば２００ｃｍ以下、好ましくは１５０ｃｍ以下に設定することができる。すなわち、ストラップ本体３０は、図４に示す作業者１００の肩または首に掛けることができる程度の長さを有していればよい。例えば、作業者１００がストラップ３を肩または首に掛けたとき、容器本体２が作業者１００の胸から腹、下腹部の高さに位置するようにストラップ本体３０の長さを設定することができる。
【００３３】
ストラップ本体３０は、例えば布、革、合成樹脂、ゴム、紐、鎖、ロープのような部材、またはこれらを組み合わせた部材で構成することができる。ストラップ本体３０を肩または首に掛けたときに安定させるためには、ストラップ本体３０が１ｃｍ以上の幅を有していることが好ましい。また、ストラップ本体３０は、肩または首に掛けたときに体に沿って変形可能な柔軟性を有している。
【００３４】
調整金具３１、３１は同じものとすることができ、ストラップ本体３０の長手方向両側にそれぞれ設けられている。調整金具３１は、従来から各種ストラップの長さ調整を行う場合に用いられるものであり、ストラップ本体３０を挿通させることが可能な大きさの枠部３１ａと、枠部３１ａの中間部に固定された横棒部３１ｂとを備えている。ストラップ本体３０の一側部分を取付金具２２のループ部２２ｂに通して折り返して厚み方向に重ね、この重なり合った部分を調整金具３１の枠部３１ａに挿通する。このとき、ストラップ本体３０の重なった部分が横棒部３１ｂに対して引っ掛かるように通すことで、調整金具３１によってストラップ本体３０の一側を輪状に保持できる。輪状になった部分の大きさが大きくなるようにストラップ本体３０を調整することでストラップ本体３０の長さが短くなり、一方、輪状になった部分の大きさが小さくなるようにストラップ本体３０を調整することでストラップ本体３０の長さが長くなる。ストラップ本体３０の他側も同様にすることができる。
【００３５】
尚、ストラップ本体３０の長さを調整する手段は、上述したものに限られず、ストラップ本体３０の長さが所望長さになるようにストラップ本体３０の一部を折り畳んだ後、折り畳んだ部分をクリップ等で止めることによって長さ調整が行えるようにすることができる。また、面ファスナ等を利用してストラップ本体３０の長さ調整を行うこともできる。
【００３６】
容器本体２の周壁部２ｂには、取っ手２ｄが設けられている。取っ手２ｄは、例えば周壁部２ｂの上下方向中間部から下部近傍まで延びるように形成することができ、容器本体２の外方へ突出している。取っ手２ｄの取付位置は図示した位置に限られるものではなく、容器本体２の上下方向中間部から上部近傍まで延びるように形成されたものであってもよいし、容器本体２の上下方向中間部に設けられたものであってもよい。また、取っ手２ｄの数は１つであってもよいし、２つ以上であってもよい。２つ以上設ける場合には、周壁部２ｂの周方向に互いに間隔をあけて設けてもよいし、上下方向に互いに間隔をあけて設けてもよい。また、取っ手２ｄの形状は、任意に設定することができる。
【００３７】
蓋４は、容器本体２の開口部２ｃを開閉するための部材であり、容器本体２に着脱可能に取り付けられている。図１に示すように、蓋４の上側は、当該蓋４が容器本体２に取り付けられた状態で該容器本体２から上方へ突出する突出部４０である。一方、図２に示すように、蓋４の下側は、当該蓋４が容器本体２に取り付けられた状態で該容器本体２内方へ突出するように形成されており、塗布用具５が取り付けられる取付部４１とされている。
【００３８】
取付部４１は、容器本体２内に開口部２ｃから挿入可能な外径を有する厚肉な円板状をなしている。蓋４が容器本体２に取り付けられた状態で、取付部４１の外周面４１ａは、容器本体２の小径壁部２１の内周面２１ａと対向するように位置付けられる。この取付部４１の外周面４１ａには、容器本体２の螺旋条２１ｂに螺合する螺合部４１ｂが形成されている。螺合部４１ｂは、容器本体２の螺旋条２１ｂに対応するように形成された複数本の螺旋条で構成することができ、この場合、蓋４を螺合方向に回転させることによって容器本体２の螺旋条２１ｂが螺合部４１ｂに螺合していき、完全に螺合させることで蓋４が容器本体２に取り付けられた状態になる。一方、反対方向に回転させると、螺合が解除される。また、螺合部４１ｂは、容器本体２の螺旋条２１ｂに対応したねじ溝等で構成されていてもよい。蓋４が容器本体２に取り付けられた状態では、蓋４と容器本体２との間がシールされるようになっている。このシール構造は、例えば弾性材からなるシール材で構成されていてもよいし、螺旋条２１ｂと螺合部４１ｂとで構成されていてもよい。
【００３９】
蓋４の突出部４０は、作業者１００が把持する把持部となる部分である。突出部４０の外形状は円形であってもよいし、多角形状であってもよい。また、突出部４０の形状は、容器本体２の外方へ膨出するような形状としてもよい。また、突出部４０には、手で握ることが可能なグリップ部（図示せず）を設けることができる。グリップ部の形状は、例えば棒状にすることができる。
【００４０】
図２に示すローラー式塗装具５は、蓋４の裏側、具体的には取付部４１の下側に取り付けられ、容器本体２に収容された塗料を塗布するための部材である。ローラー式塗装具５は、蓋４の裏側から突出する棒状部５０と、該棒状部５０の先端部に設けられたローラー５１とを有している。棒状部５０は、例えば金属製の棒材等で構成されたものであり、その上端部が蓋４の取付部４１に対して固定されている。図３にも示すように、棒状部５０は、取付部４１から下方へ延びる本体部５０ａと、本体部５０ａの下端部から径方向（容器本体２の径方向）かつ下方へ延びる傾斜部５０ｂと、傾斜部５０ｂの下端部から下方へ延びる中間部５０ｃと、中間部５０ｃの下端部から径方向に延びるローラー支持部５０ｄとを有している。本体部５０ａ、傾斜部５０ｂ、中間部５０ｃ及びローラー支持部５０ｄは、１本の棒材を屈曲させることによって一体成形されている。本体部５０ａの長さは、蓋４を螺合させない状態であってもローラー５１を容器本体２内の塗料に浸すことができるように設定されている。尚、蓋４を螺合させた状態では、ローラー５１が容器本体２内の底壁部２ａ近傍に位置するようになっている。
【００４１】
ローラー５１は、塗料を含浸する含浸体５１ａと、ローラー支持部５０ｄが挿通される筒状部材５１ｂと、ローラー支持部５０ｄが圧入されるリング状部材５１ｃとを備えている。含浸体５１ａは、例えば吸液性を有する布材やスポンジ等からなり、塗料を所定量吸収して含浸させることができるように構成されている。含浸体５１ａは略円筒状に形成されている。筒状部材５１ｂは、含浸体５１ａの中心線と同心上に位置するように、当該含浸体５１ａに挿入されている。筒状部材５１ｂの外周面に含浸体５１ａの内周部分が固着されている。筒状部材５１ｂの内周面５１ｄには、環状溝５１ｆが形成されている。環状溝５１ｆに、リング状部材５１ｃが嵌合している。リング状部材５１ｃにローラー支持部５０ｄが圧入されると、リング状部材５１ｃの内周面５１ｅがローラー支持部５０ｄの外周面に圧接し、これにより、ローラー５１がローラー支持部５０ｄに取り付けられる。また、リング状部材５１ｃと筒状部材５１ｂとは、相対的に回転可能に嵌合している。これにより、ローラー５１がローラー支持部５０ｄの中心線周りに回転可能になる。
【００４２】
（塗布器１の使用要領）
次に、塗布器１の使用要領について説明する。まず、図２に示すように、蓋４を容器本体２から取り外して容器本体２に塗料を入れる。塗料を入れた後、蓋４に取り付けられているローラー式塗装具５を容器本体２の開口部２ｃから該容器本体２内に挿入し、その後、蓋４を螺合方向に回転させる。これにより、容器本体２の螺旋条２１ｂが蓋４の螺合部４１ｂに螺合して容器本体２の開口部２ｃが閉じられる。また、ローラー５１が容器本体２内の塗料に浸される。
【００４３】
次いで、図４に示すように、ストラップ３を作業者１００の首に掛ける。これにより、作業者１００が容器本体２を手で持つ必要がなくなるので、両手を使って脚立２００を上ることが可能になり、安全性が高まる。このとき、塗料が収容された容器本体２も同時に持って上ることが可能になり、上るときに蓋４によって容器本体２の開口部２ｃを閉じておくことで、容器本体２が大きく揺れたとしても内部に収容された塗料が流出することはない。また、ローラー式塗装具５は蓋４の裏側に取り付けられていて、容器本体２の内部に収容されているので、ローラー式塗装具５が落下することはないとともに、ローラー式塗装具５に含浸されている塗料が他の物に付着することもない。尚、ストラップ３は、作業者１００の肩に掛けることもできる。また、作業者１００は、脚立２００の他、梯子や階段を上る際にストラップ３を首や肩に掛けておくことができる。さらに、作業者１００は、塗布器１を運ぶ際にストラップ３を首や肩に掛けておくこともできる。
【００４４】
そして、所望の高さまで上った後、塗装作業を開始する際には、蓋４を回転させて容器本体２から取り外して開口部２ｃを開ける。蓋４の裏側にローラー式塗装具５が取り付けられているので、作業者１００は蓋４を持ってローラー式塗装具５を動かすことにより、ローラー式塗装具５に含浸されている塗料を被塗装面に付着させることが可能になる。
【００４５】
塗装作業が終わると、蓋４を容器本体２に取り付ける。これにより、ローラー式塗装具５が容器本体２に収容され、開口部２ｃが閉じられる。ストラップ３を首や肩に掛けることで、作業者１００は脚立２００を安全に下りることができる。また、塗料の流出やローラー式塗装具５の落下が未然に防止される。塗料やローラー式塗装具５は容器本体２に収容したままで保存することができる。
【００４６】
（実施形態の作用効果）
以上説明したように、この実施形態に係る塗布器１によれば、ストラップ３を作業者１００の肩や首に掛けることで、作業者１００が脚立２００や梯子を上る際に塗料が収容された容器本体２を同時にかつ安全に持って上ることができ、このときに蓋４を閉じておくことで塗料の流出及びローラー式塗装具５の落下を未然に防止することができる。従って、塗装作業を高所で行う際の作業性を良好にすることができる。
【００４７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００４８】
以上説明したように、本発明に係る塗布器は、例えば脚立や梯子を上って塗装作業する場合に利用することができる。
【符号の説明】
【００４９】
１              塗布器
２              容器本体
２ｃ            開口部
３              ストラップ
４              蓋
５              ローラー式塗装具（塗布用具）
２１ｂ          螺旋条
４０            突出部（把持部）
４１ｂ          螺合部
５０            棒状部
５１            ローラー
５１ａ          含浸体
【図１】
2020199457.tif 000003
【図２】
2020199457.tif 000004
【図３】
2020199457.tif 000005
【図４】
2020199457.tif 000006